(57)【要約】【課題】多数の設定画面を用意することなく、複雑な設定をユーザが簡単に入力することのできる設定入力装置および画像形成装置を提供する。【解決手段】表示部３２に設定画面を表示して設定操作を操作部３１から受け付ける表示・操作入力制御部４１と、設定画面では設定し得ない所定の設定をマイク３３からの音声入力で受け付ける音声入力制御部４２とを有する。設定統合部４３は、設定画面で受け付けた設定と音声入力で受け付けた設定とを統合して１つのジョブに係る設定を作成する。たとえば、基本的な設定は設定画面で受け付け。「１部目はカラーで、２部目はモノクロでコピーして」など設定値を部単位、ページ単位に切り替える複雑な設定は音声入力で受け付ける。【選択図】図２
2020136972.tif 000002
【特許請求の範囲】
【請求項１】
設定画面を表示して設定操作を受け付ける表示操作部と、
前記設定画面では設定し得ない所定の設定を音声入力で受け付ける音声入力部と、
を有する
ことを特徴とする設定入力装置。
【請求項２】
設定画面で受け付けた設定と音声入力で受け付けた設定とを統合して一のジョブに係る設定を作成する設定統合部を有する、
ことを特徴とする請求項１に記載の設定入力装置。
【請求項３】
前記ジョブは、記録媒体に画像を形成するジョブであり、
前記音声入力部は、所定の設定項目の設定値をページ単位もしくは部単位に切り替える設定を受け付ける
ことを特徴とする請求項２に記載の設定入力装置。
【請求項４】
前記音声入力部は、特権を有するユーザのみ設定し得る設定項目に係る設定を受け付ける
ことを特徴とする請求項１乃至３のいずれか１つに記載の設定入力装置。
【請求項５】
入力された音声に基づいて前記特権を認証する音声認証部を備える
ことを特徴とする請求項４に記載の設定入力装置。
【請求項６】
前記音声入力部で受け付けた設定の内容を復唱する復唱部をさらに有する
ことを特徴とする請求項１乃至５のいずれか１つに記載の設定入力装置。
【請求項７】
請求項１乃至６のいずれか１つに記載の設定入力装置と、
記録媒体に画像を形成する画像形成部と、
を有し、
前記画像形成部を用いて実行するジョブの設定を前記設定入力装置で受け付ける
ことを特徴とする画像形成装置。
【発明の詳細な説明】
【技術分野】
【０００１】
本発明は、設定画面からの入力と音声入力が可能な設定入力装置およびこれを含む画像形成装置に関する。
【背景技術】
【０００２】
複合機等の装置で記録紙に画像を印刷する際の設定には、カラー／モノクロ、画像の倍率、Ｎin１、片面／両面印刷、綴じ位置、画像の向き、用紙のサイズや向きなど様々な設定項目があり、設定画面を通じた入力操作で複雑な設定をするには熟練を要する。
【０００３】
そこで、音声入力を併用する装置が提案されている（たとえば、下記特許文献１参照）。この装置では、特定のキーワードを音声入力すると、そのキーワードに関連付けされた操作画面が表示される。
【先行技術文献】
【特許文献】
【０００４】
【特許文献１】特開２００７−１０２０１２号公報
【発明の概要】
【発明が解決しようとする課題】
【０００５】
特許文献１では、音声入力は、所望の設定項目に係る設定画面を呼び出すために使用される。そのため、前述した複雑な設定についても、結局のところ、ユーザは設定画面を通じて設定操作を行わなければならない。また、装置の設計開発者においては、すべての設定項目について設定画面を作成しなければならず、複雑な設定を可能にすればするほど、開発工数が嵩んでしまう。
【０００６】
本発明は、上記の問題を解決しようとするものであり、多数の設定画面を用意することなく、複雑な設定をユーザが簡単に入力することのできる設定入力装置および画像形成装置を提供することを目的としている。
【課題を解決するための手段】
【０００７】
かかる目的を達成するための本発明の要旨とするところは、次の各項の発明に存する。
【０００８】
［１］設定画面を表示して設定操作を受け付ける表示操作部と、
前記設定画面では設定し得ない所定の設定を音声入力で受け付ける音声入力部と、
を有する
ことを特徴とする設定入力装置。
【０００９】
上記発明では、設定画面を通じた設定と音声入力による設定が可能であると共に、音声入力のみで設定可能な設定を設けてある。たとえば、複雑な設定を音声入力のみとすることでその複雑な設定に対応する複雑な設定画面を作成する必要がなく、開発工数を削減できる。ユーザにおいては、複雑な設定画面を操作することなく、音声入力で簡単に複雑な内容の設定を行うことができる。
【００１０】
［２］設定画面で受け付けた設定と音声入力で受け付けた設定とを統合して一のジョブに係る設定を作成する設定統合部を有する、
ことを特徴とする［１］に記載の設定入力装置。
【００１１】
上記発明では、たとえば、設定画面を通じた設定内容をベースにして、音声入力による設定を付加して１つのジョブに係る設定を行うことができる。
【００１２】
［３］前記ジョブは、記録媒体に画像を形成するジョブであり、
前記音声入力部は、所定の設定項目の設定値をページ単位もしくは部単位に切り替える設定を受け付ける
ことを特徴とする［２］に記載の設定入力装置。
【００１３】
上記発明では、たとえば、設定画面を通じてジョブ単位の設定を行い、これをベースにして、所定の設定項目に係る設定値をページ単位、部単位に切り替える設定を音声入力で受け付ける。
【００１４】
［４］前記音声入力部は、特権を有するユーザのみ設定し得る設定項目に係る設定を受け付ける
ことを特徴とする［１］乃至［３］のいずれか１つに記載の設定入力装置。
【００１５】
上記発明では、管理者設定などを音声入力で受け付ける。
【００１６】
［５］入力された音声に基づいて前記特権を認証する音声認証部を備える
ことを特徴とする［４］に記載の設定入力装置。
【００１７】
上記発明では、入力された音声を解析して特権の認証を行うことで、操作部からパスワードを入力するといった手間を省くことができる。
【００１８】
［６］前記音声入力部で受け付けた設定の内容を復唱する復唱部をさらに有する
ことを特徴とする［１］乃至［５］のいずれか１つに記載の設定入力装置。
【００１９】
［７］［１］乃至［６］のいずれか１つに記載の設定入力装置と、
記録媒体に画像を形成する画像形成部と、
を有し、
前記画像形成部を用いて実行するジョブの設定を前記設定入力装置で受け付ける
ことを特徴とする画像形成装置。
【発明の効果】
【００２０】
本発明に係る設定入力装置および画像形成装置によれば、多数の設定画面を用意せずに済むと共に、ユーザは複雑な設定を音声で簡単に入力することができる。
【図面の簡単な説明】
【００２１】
【図１】本発明の実施の形態に係る設定入力装置の機能を有する画像形成装置の一例を示す図である。
【図２】画像形成装置の概略構成を示すブロック図である。
【図３】設定画面の一例を示す図である。
【図４】設定画面を通じてもしくは音声入力により各種の設定を受ける際に画像形成装置が行う処理を示す流れ図である。
【図５】図４の処理をより詳細に示す流れ図である。
【図６】設定画面を通じてジョブ単位の設定操作を受けた場合に作成される設定テーブルの一例を示す図である。
【図７】「１部目はカラー、２部目はモノクロでコピーして」といった内容の音声指示を受けた場合に作成される設定テーブルの一例を示す図である。
【図８】「１ページ目と５ページ目はカラー、他のページはモノクロで、両面コピーして」といった内容の音声指示で受けた場合に作成される設定テーブル６０の一例を示す図である。
【図９】「１部目はモノクロ、２部目の１ページ目と５ページ目はカラー、他のページはモノクロで、両面コピーして」といった内容の音声指示を行受けた場合に作成される設定テーブルの一例を示す図である。
【図１０】設定変更に所定の特権を要する設定項目に係る設定変更の指示を音声入力で受け付ける際に画像形成装置が行う処理を示す流れ図である。
【図１１】画像形成装置が印刷（画像形成）する際に行う処理を示す流れ図である。
【図１２】設定テーブルに基づいてジョブを実行する処理をより詳細に示す流れ図である。
【発明を実施するための形態】
【００２２】
以下、図面に基づき本発明の実施の形態を説明する。
【００２３】
図１は、本発明の実施の形態に係る設定入力装置の機能を有する画像形成装置１０の構成例を示している。画像形成装置１０は、原稿を光学的に読み取ってその複製画像を記録紙に印刷するコピー機能、読み取った原稿の画像データをファイルにして保存したり外部端末へネットワークを通じて送信したりするスキャン機能、ＰＣ（Personal Computer）などからネットワークを通じて受信した印刷データに係る画像を記録紙に印刷して出力するプリンタ機能、ファクシミリ手順に従って画像データを送受信するファクシミリ機能などを備えた、所謂、複合機（ＭＦＰ）である。図１に示す画像形成装置１０には、印刷後の記録紙に折り、綴じ、穴あけ等の後処理を施す後処理装置５が接続されている。
【００２４】
画像形成装置１０は、ユーザや管理者からの各種の設定操作を、操作パネルに設定画面を表示し、この設定画面に表示したソフトスイッチに対する操作や操作パネルが備えるハードスイッチに対する操作で受け付ける画面入力モードと、音声入力で受け付ける音声入力モードとを備えてこれらを併用する。
【００２５】
図２は、画像形成装置１０の概略構成を示すブロック図である。画像形成装置１０は、当該画像形成装置１０の動作を統括的に制御する制御部としてのＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４、ハードディスク装置１５、スキャナ部１６、画像処理部１７、プリンタ部１８、ネットワーク通信部１９、ファクシミリ通信部２１、後処理装置接続部２２、操作パネル３０、などが接続されている。
【００２６】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像形成装置１０の各機能が実現される。
【００２７】
ＲＡＭ１３は、ＣＰＵ１１がプログラムに基づいて処理を実行する際に各種のデータを一時的に格納するワークメモリや画像データを格納する画像メモリなどとして使用される。ＲＡＭ１３には、後述する設定テーブルが作成されて記憶される。
【００２８】
不揮発メモリ１４は、電源をオフにしても記憶内容が破壊されないメモリ（フラッシュメモリ）であり、デフォルト設定値や管理者設定などの保存などに使用される。
【００２９】
ハードディスク装置１５は大容量不揮発の記憶装置であり、印刷データ、設定画面の画面データのほか各種のプログラム、データが記憶される。
【００３０】
スキャナ部１６は、原稿を光学的に読み取って画像データを取得する機能を果たす。スキャナ部１６は、原稿台にセットされた複数枚の原稿を順次繰り出して読み取るための自動原稿搬送装置（ＡＤＦ）を有する。また、この自動原稿搬送装置で原稿の表裏を反転させることで原稿の表裏を読み取ることができる。
【００３１】
画像処理部１７は、画像の拡大縮小、回転などの処理のほか、印刷データをイメージデータに変換するラスタライズ処理、画像データの圧縮、伸張処理などを行う。
【００３２】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタのエンジン部として構成されている。画像形成は他の方式でもかまわない。
【００３３】
ネットワーク通信部１９は、ＬＡＮなどのネットワークを通じて各種の外部装置、サーバなどと通信する機能を果たす。
【００３４】
ファクシミリ通信部２１は、ファクシミリ機能を備えた外部装置と電話回線を通じて画像データを送受信する機能を果たす。
【００３５】
後処理装置接続部２２は、後処理装置５を電気的に接続するためのＩ／Ｆ部である。
【００３６】
操作パネル３０は、操作部３１、表示部３２、マイク３３、スピーカ３４等を備え、ユーザインターフェイスを司る。表示部３２には、各種の操作画面、設定画面が表示される。表示部３２は液晶ディスプレイとそのドライバなどで構成される。操作部３１はユーザから各種の操作（タッチ操作や押下操作）を受ける。操作部３１はスタートボタンやテンキーなどの各種ハードスイッチと、表示部３２の表示面上に設けられたタッチパネルなどで構成される。
【００３７】
マイク（Microphone）３３は、ユーザが発した音声を電気信号に変換する。スピーカ（speaker）３４は、入力された音声の電気信号を音（物理振動）に変換する。
【００３８】
ＣＰＵ１１は、画像形成装置１０の動作全体を制御するほか、設定入力装置に係る機能として、表示・操作入力制御部４１、音声入力制御部４２、設定統合部４３、音声認証部４４等の機能を果たす。
【００３９】
表示・操作入力制御部４１は、操作パネル３０の表示部３２に設定画面を表示し、この設定画面に表示された設定項目に対する設定操作を操作部３１で受け付ける機能を果たす。
【００４０】
音声入力制御部４２は、マイク３３を通じて入力された音声を解析し、各種の設定項目に対する設定を音声入力で受け付ける機能、および音声入力で受け付けた設定内容を復唱する音声をスピーカ３４から出力する機能等を果たす。音声入力制御部４２は、表示・操作入力制御部４１で設定し得ない設定（設定画面を通じて設定し得ない内容の設定）を音声入力で受け付けることができる。たとえば、音量やマイク感度など音声に関する設定や設定変更に特権を有する管理者設定などについては、設定画面に該当の設定項目を設けず、音声入力のみで受け付ける。なお、音声入力制御部４２は、設定画面を通じて受け付け可能な設定項目についても音声入力で受け付けるようにしてもよい。
【００４１】
設定統合部４３は、表示・操作入力制御部４１で受け付けた設定内容と、音声入力制御部４２で受け付けた設定内容とを統合して一のジョブに係る設定を作成する機能を果たす。
【００４２】
音声認証部４４は、マイク３３から入力された音声に基づいて、その音声を発したユーザを特定し、そのユーザが前述の特権を有するユーザであるか否かを判断（特権を認証）する機能を果たす。ここでは、特権を有するユーザの声を予め登録しておき、マイク３３から入力された声との一致を（例えば、声紋を比較して）判断する。
【００４３】
図３は、表示・操作入力制御部４１が操作パネル３０の表示部３２に表示した設定画面５０の一例を示している。図３に示す設定画面５０は、コピージョブを受け付ける際に表示される設定画面５０である。ユーザは、設定画面５０内の各設定項目内の選択肢へのタッチ操作により、この設定画面５０を通じた設定操作を行う。図３に示す設定画面５０では、部数設定、カラー設定、両面設定、ページ集約に関する設定が可能になっている。
【００４４】
部数設定の設定項目では、１〜９９までの任意の数字を設定することができる。カラー設定の設定項目では、自動、“カラー”、“ブラック”の選択肢があり、両面設定の設定項目では、“片面読込→片面印刷”、“片面読込→両面印刷”、“両面読込→片面印刷”、“両面読込→両面印刷”の選択肢があり、ページ集約の設定項目では、“なし”、“あり”の選択肢がある。図３に示す例では、部数設定は“１部”、カラー設定は“自動”、両面設定は“片面読込→片面印刷”、ページ集約は“なし”、と設定されている。設定画面５０を通じた設定は、今回投入するコピージョブ全体に対する設定となっている。
【００４５】
図３に示す設定状態で、ユーザが原稿をＡＤＦにセットして「１部目はカラー、２部目はモノクロでコピーして」といった内容の音声指示を行うと、図３に示す設定状態をベースとして、カラー１部、モノクロ１部の計２部のコピージョブが設定される。すなわち、両面設定、ページ集約については設定画面５０での設定内容（片面読込→片面印刷、ページ集約なし）を受け継ぎ、これをベースに音声入力で指示された部分のみをその指示内容に従って設定変更したコピージョブが設定される。
【００４６】
また、図３に示す設定状態で、１０ページの原稿をＡＤＦにセットして、「１ページ目と５ページ目はカラー、他のページはモノクロで、両面コピーして」といった内容の音声指示をユーザが行うと、１ページと５ページをカラー、２〜４ページと６〜１０ページをモノクロで両面コピーした印刷物を１部作成するコピージョブが設定される。すなわち、部数、ページ集約については設定画面５０での設定内容（１部、ページ集約なし）を受け継ぎ、これをベースに音声指示された部分のみをその指示内容に従って設定変更したコピージョブが設定される。
【００４７】
図４は、ユーザから設定画面を通じてもしくは音声入力により各種の設定を受ける際の動作を示す流れ図である。音声入力もしくは設定画面を通じた操作入力（設定画面内のソフト釦に対するタッチ操作や設定画面内の設定項目に対するハードスイッチからの入力操作）が行われるのを待ち（ステップＳ１０１;Ｎｏ）、音声入力もしくは設定画面を通じた操作入力を受けたら（ステップＳ１０１;Ｙｅｓ）、それに従って該当の設定値を変更する（ステップＳ１０２）。
【００４８】
図５は、図４の処理をより詳細に示したものである。ここでは、コピージョブ等のジョブに係る設定を受けるものとする。表示・操作入力制御部４１は、デフォルトの設定画面を操作パネル３０の表示部３２に表示し（ステップＳ２０１）、該設定画面を通じた操作入力を受けたか否かを判断する（ステップＳ２０２）。設定画面を通じた操作入力を受けない場合はステップＳ２０２;Ｎｏ）、ステップＳ２０４へ移行する。設定画面を通じた操作入力を受けた場合は（ステップＳ２０２;Ｙｅｓ）、その操作入力の内容に従って設定値を変更して（ステップＳ２０３）、ステップＳ２０４へ移行する。ステップＳ２０３で行う設定値の変更は、ジョブ単位（ジョブ内の全ページ、全部に共通）での設定値の変更である。
【００４９】
ステップＳ２０４では、音声入力により指示を受けたか否かを判断する。音声入力で指示を受けない場合は（ステップＳ２０４;Ｎｏ）、ステップＳ２０９に移行する。音声入力で指示を受けた場合は（ステップＳ２０４;Ｙｅｓ）、その指示がページ単位や部単位の指示であるか否かを判断する（ステップＳ２０５）。
【００５０】
音声入力で受けた指示がページ単位・部単位の指示でなければ、すなわち、設定画面を通じた設定でも行い得るジョブ単位の設定変更ならば（ステップＳ２０５;Ｎｏ）、その指示に従って設定値を変更して（ステップＳ２０６）、ステップＳ２０８へ移行する。ステップＳ２０６で行う設定値の変更は、ステップＳ２０３と同様にジョブ単位での設定値の変更である。
【００５１】
音声入力で受けた指示が、設定画面を通じた設定では設定できない、ページ単位や部単位の指示である場合、は（ステップＳ２０５;Ｙｅｓ）、ジョブ単位の設定値をベースに、音声で指示された設定項目の設定値をページ単位、部単位に分けて（図７〜図９参照）設定登録して（ステップＳ２０７）、ステップＳ２０８へ移行する。
【００５２】
ステップＳ２０８では、音声入力で受けた設定変更指示の内容を復唱するメッセージをスピーカ３４から出力して、ステップＳ２０９へ移行する。
【００５３】
ステップＳ２０９では、ジョブ投入の操作が完了したか否かを判断し、操作完了でなければ（ステップＳ２０９;Ｎｏ）、ステップＳ２０２に戻って処理を継続する。操作完了ならば（ステップＳ２０９;Ｙｅｓ）、本処理を終了する。なお、ジョブ投入操作を中止する指示、もしくは、ジョブのスタート釦が押下された場合に、操作完了となる。
【００５４】
図６は、設定画面を通じてジョブ単位の設定操作を受けた場合に作成される設定テーブル６０ａの一例を示している。図６に示す設定テーブル６０ａは、図３に示す設定画面５０での設定状態に対応する。部欄、ページ欄に“ＡＬＬ”と登録することで、カラー、両面、ページ集約に係る各設定項目の設定値がジョブ単位（全ての部、全てのページで共通）の設定であることを示している。設定テーブル６０ａでは、設定値を登録する登録欄は、１つのジョブ単位登録欄で構成される。
【００５５】
図７は、図３に示す設定状態からさらに「１部目はカラー、２部目はモノクロでコピーして」といった内容の音声指示を行受けた場合に作成される設定テーブル６０ｂを示している。１部目と２部目で設定内容が相違するので、図６に示す設定テーブル６０ａで全ての部に共通であったジョブ単位登録欄を２つ分けて、１部目用の部単位登録欄と２部目用の部単位登録欄が作成される。この例ではページ単位の設定は指示されていないので、１部目用の部単位登録欄のページ欄および２部目用の部単位登録欄のページ欄にはそれぞれ“ＡＬＬ”が登録される。カラー設定は、音声指示に従って、１部目は“カラー”、２部目は“モノクロ”と登録される。両面、ページ集約については音声指示を受けていないので、ジョブ単位での設定値がそのまま各部での設定値として引き継がれる。
【００５６】
図８は、図３に示す設定状態で、１０ページの原稿をＡＤＦにセットして、「１ページ目と５ページ目はカラー、他のページはモノクロで、両面コピーして」といった内容の音声指示で受けた場合に作成される設定テーブル６０ｃを示している。１、５ページ目と他のページとで設定内容が相違するので、図６に示す設定テーブル６０ａのジョブ単位登録欄のうちの部欄以外を２つ分けて、１、５ページ目用のページ単位登録欄と２〜４、６〜１０ページ目用のページ単位登録欄が作成される。
【００５７】
この例では部単位の設定は指示されていないので、部の欄には“ＡＬＬ”が登録される。カラー設定は、音声指示に従って、１、５ページ目用のページ単位登録欄では“カラー”、２〜４、６〜１０ページ目用のページ単位登録欄では“モノクロ”と登録される。両面、ページ集約については音声指示を受けていないので、ジョブ単位での設定値がそのまま各ページでの設定値として引き継がれる。
【００５８】
図９は、図３に示す設定状態で、１０ページの原稿をＡＤＦにセットして、「１部目はモノクロ、２部目の１ページ目と５ページ目はカラー、他のページはモノクロで、両面コピーして」といった内容の音声指示を行受けた場合に作成される設定テーブル６０ｄを示している。１部目と２部目で設定内容が相違するので、図６に示す設定テーブル６０ａで全部に共通であったジョブ単位登録欄を２つ分けて、１部目用の部単位登録欄と２部目用の部単位登録欄が作成される。さらに、２部目については、１、５ページ目と他のページとで設定内容が相違するので、２部目用の部単位登録欄（部欄以外）をさらに２つ分けて、１、５ページ目用のページ単位登録欄と２〜４、６〜１０ページ目用のページ単位登録欄が作成される。
【００５９】
１部目についてはページ単位の設定は指示されていないのでページの欄には“ＡＬＬ”が登録される。カラー設定は、音声指示に従って“モノクロ”に変更される。両面、ページ集約については音声指示を受けていないので、ジョブ単位での設定値がそのまま引き継がれる。
【００６０】
２部目のカラー設定は、音声指示に従って、１、５ページ目用のページ単位登録欄には“カラー”、２〜４、６〜１０ページ目用のページ単位登録欄には“モノクロ”と登録される。両面、ページ集約については音声指示を受けていないので、ジョブ単位での設定値がそのまま各ページでの設定値として引き継がれる。
【００６１】
なお、図６に示す設定テーブル６０ａのジョブ単位登録欄を複数の部単位登録欄や複数のページ単位登録欄に分けたり、部単位登録欄を複数のページ単位登録欄に分けたり、音声指示で変更された部分以外の設定値はジョブ単位の設定値を引き継いだりして図７〜図９に示すような設定テーブルを作成する処理は、表示・操作入力制御部４１で受け付けた設定内容と、音声入力制御部４２で受け付けた設定内容とを統合して一のジョブに係る設定を作成する処理であり、設定統合部４３によって行われる。
【００６２】
次に、管理者設定などのように、設定変更に所定の特権を要する設定項目に係る設定変更を音声入力で受け付ける際の動作について説明する。
【００６３】
図１０は、設定変更に所定の特権を要する設定項目に係る設定変更を音声入力で受け付ける際の画像形成装置１０の動作を示す流れ図である。画像形成装置１０は、音声入力による設定変更の指示を受けると（ステップＳ３０１）、その指示が特権の必要な指示、たとえば、装置のＩＰアドレス設定のような管理者設定、であるか否かを判別する（ステップＳ３０２）。
【００６４】
特権が必要な指示でなければ（ステップＳ３０２;Ｎｏ）、その指示に従って設定値を変更し（ステップＳ３０５）、設定変更指示の内容を音声で復唱して（ステップＳ３０６）、本処理を終了する。
【００６５】
特権が必要な指示の場合は（ステップＳ３０２;Ｙｅｓ）、音声入力を受けたときの音声を解析して、その発話者が特権の許可された人であるか否かを、たとえば、声紋一致等によって確認する（ステップＳ３０３）。発話者が特権の許可された人（特権ユーザ）であった場合は（ステップＳ３０４;Ｙｅｓ）、ステップＳ３０１で受けた音声指示に従って設定値を変更し（ステップＳ３０５）、その設定変更指示の内容を音声で復唱して（ステップＳ３０６）、本処理を終了する。
【００６６】
発話者が特権の許可された人でない場合は（ステップＳ３０４;Ｎｏ）、特権を確認できないため指示された設定変更を実行できない旨を音声で通知して（ステップＳ３０７）、本処理を終了する。
【００６７】
このように、特権の必要な設定変更を音声入力で受け付けることで、入力された音声で発話者が特権を有するか否かを確認できるので、別途、操作パネル３０からパスワードを入力する等の手間が削減され、利便性が向上する。
【００６８】
図１１は、画像形成装置１０が印刷（画像形成）を実行する際に行う処理を示す流れ図である。画像形成装置１０は、音声入力もしくはハードスイッチのスタート釦の押下によってジョブの実行開始指示が入力されるのを待ち（ステップＳ４０１;Ｎｏ）、ジョブの実行開始指示を受けたら（ステップＳ４０１;Ｙｅｓ）、設定テーブル６０に従ってジョブ（印刷）を実行して（ステップＳ４０２）、本処理を終了する。
【００６９】
図１２は、設定テーブル６０に基づいてジョブを実行する処理をより詳細に示す流れ図である。まず、カレント部、カレントページを示す変数の値を「１」に初期化する（ステップＳ５０１）。
【００７０】
次に、設定テーブル６０のうち、カレント部に対応する部の登録欄を選択する。図６に示す設定テーブル６０ａのように登録欄がジョブ単位登録欄（部の欄が“ＡＬＬ”）であれば、カレント部の値に係らず、ジョブ単位登録欄を選択する。図７に示す設定テーブル６０ｂの場合、カレント部の値が「１」であれば、１部目用の部単位登録欄を、カレント部が「２」であれば２部目用の部単位登録欄を選択する。
【００７１】
次に、ステップＳ５０２で選択した登録欄のうち、カレントページの値がページ欄に登録されている登録欄を選択する（ステップＳ５０３）。たとえば、ステップＳ５０２で選択したジョブ単位もしくは部単位の登録欄に属するページ欄の値が“ＡＬＬ”であれば（たとえば、図７の設定テーブル６０ｂ）、カレントページの値に係らず、ステップＳ５０２で選択したジョブ単位もしくは部単位の登録欄がそのままステップＳ５０３で選択される。
【００７２】
図８に示す設定テーブル６０ｃのように、ステップＳ５０２で選択したジョブ単位または部単位の登録欄が複数のページ単位登録欄に分かれている場合には、その複数に分かれた登録欄のうちカレントページの示すページ値がページ欄に登録されているページ単位登録欄をステップＳ５０３で選択する。たとえば、図８の設定テーブル６０ｃの場合、カレントページが１であれば、１，５ページ用のページ単位登録欄を選択し、カレントページが３であれば、他のページ用のページ単位登録欄を選択する。
【００７３】
その後、ステップＳ５０３で選択した登録欄に登録されている設定値に従って印刷を実行する（ステップＳ５０４）。このページの印刷により１つの部の印刷が終了するか否かを調べ（ステップＳ５０５）、部の途中であれば（ステップＳ５０５;Ｎｏ）、カレントページを＋１して（ステップＳ５０６）、ステップＳ５０２に戻って処理を継続する。
【００７４】
カレント部が示す部の印刷が終了する場合は（ステップＳ５０５;Ｙｅｓ）、カレント部を＋１し、カレントページを１に初期化する（ステップＳ５０７）。そして、全ての部の印刷が終了したか否かを判断し（ステップＳ５０８）、未終了ならば（ステップＳ５０８;Ｎｏ）、ステップＳ５０２に戻って処理を継続する。全ての部の印刷が終了した場合は（ステップＳ５０８;Ｙｅｓ）、本処理を終了する。
【００７５】
このように、設定画面からは設定できない複雑な設定を音声入力で設定可能にしたので、複雑な設定画面を設計開発する必要がなく、開発負荷を削減することができる。また、設定項目が増加等した場合の改修作業・メンテナンス作業においても工数が削減される。ユーザにおいては、設定画面からの入力では煩雑で困難な、部単位、ページ単位といった複雑な設定を音声入力で行うことができるので、利便性が向上する。
【００７６】
なお、本発明においては、設定画面からは設定できない設定内容を音声入力で設定できればよく、設定画面で設定可能な設定内容と音声入力で設定可能な設定内容は排他的関係にある必要はなく、設定画面で設定可能な項目を音声入力でも設定できるように構成されてもよい。なお、設定画面で設定可能な設定内容と音声入力で設定可能な設定内容とが排他的になるように構成してもよい。
【００７７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７８】
本発明の設定入力装置は、ジョブを実行する画像形成装置１０などの装置に組み込まれるほか、独立の装置として構成されてもよい。たとえば、画像形成装置１０と通信可能に接続され、遠隔から画像形成装置１０に各種の設定をしたりジョブを投入したりする装置として構成されてもよい。
【符号の説明】
【００７９】
５…後処理装置
１０…画像形成装置
１１…ＣＰＵ
１２…ＲＯＭ
１３…ＲＡＭ
１４…不揮発メモリ
１５…ハードディスク装置
１６…スキャナ部
１７…画像処理部
１８…プリンタ部
１９…ネットワーク通信部
２１…ファクシミリ通信部
２２…後処理装置接続部
３０…操作パネル
３１…操作部
３２…表示部
３３…マイク
３４…スピーカ
４１…表示・操作入力制御部
４２…音声入力制御部
４３…設定統合部
４４…音声認証部
５０…設定画面
６０…設定テーブル
６０ａ…ジョブ単位の設定テーブル
６０ｂ…部単位の設定テーブル
６０ｃ…ページ単位の設定テーブル
６０ｄ…部単位およびページ単位が混在する設定テーブル
【図１】
2020136972.tif 000003
【図２】
2020136972.tif 000004
【図３】
2020136972.tif 000005
【図４】
2020136972.tif 000006
【図５】
2020136972.tif 000007
【図６】
2020136972.tif 000008
【図７】
2020136972.tif 000009
【図８】
2020136972.tif 000010
【図９】
2020136972.tif 000011
【図１０】
2020136972.tif 000012
【図１１】
2020136972.tif 000013
【図１２】
2020136972.tif 000014